(57)【特許請求の範囲】
【請求項１】
複数のカラオケ装置と、
前記複数のカラオケ装置に音楽データを供給するコントロール装置と、
から構成されるカラオケシステムであって、
前記コントロール装置は、
音楽データを記憶する記憶部と、
携帯電話機からルーム番号および曲番号を受信する通信部と、
前記通信部によって受信された曲番号が示す音楽データを前記記憶部から読み出し、前記通信部によって受信されたルーム番号が示すカラオケルームに設置された前記カラオケ装置に出力する音楽データ供給部と
を備えることを特徴とするカラオケシステム。
【請求項２】
前記通信部は、
電話回線を介してルーム番号および曲番号を受信することを特徴とする請求項１に記載のカラオケシステム。
【請求項３】
前記通信部は、
前記携帯電話機から送信された電波を直接受けることによってルーム番号および曲番号を受信することを特徴とする請求項１に記載のカラオケシステム。
【発明の詳細な説明】
【０００１】
【発明の属する技術分野】
この発明は、携帯電話機（ＰＨＳを含む）を用いて機能の向上を図ったカラオケシステムに関する。
【０００２】
【従来の技術】
周知のように、カラオケ装置は、装置本体の他に１個のリモコンと、２本のマイクロフォンが付属されており、リモコンによって曲の番号を本体に入力して予約し、この予約の順に楽曲（伴奏音）が演奏される。
【０００３】
【発明が解決しようとする課題】
しかしながら、比較的大きいカラオケルームや、クラブ等においては、１個のリモコンと２本のマイクでは不足であり、予約がなかなかできない、あるいは、マイクがなかなか回ってこない等の問題があった。
この発明は、このような事情を考慮してなされたもので、その目的は、携帯電話機をマイクやリモコンの代わりに用いることができるカラオケシステムを提供することにある。
【０００４】
【課題を解決するための手段】
上記の目的を達成するために、請求項１に記載の発明は、予約情報の順に楽曲を選択し、伴奏音として発音する楽音発生手段と、前記楽曲に対応する画像表示を行う表示手段と、マイクロフォンからの音声信号を発音する音声発音手段とを具備するカラオケシステムにおいて、携帯電話機から送信される予約情報を受信する通信部と、前記通信部を介して受信された予約情報に基づいて楽曲の選択を行う選曲制御手段とを設けたことを特徴としている。
【０００５】
また、請求項２に記載の発明は、請求項１に記載のカラオケシステムにおいて、前記通信部が前記予約情報を電話回線を介して受信することを特徴とする。
また、請求項３に記載の発明は、請求項１に記載のカラオケシステムにおいて、前記通信部が前記携帯電話機から送信された電波を直接受けることによって前記予約情報を得ることを特徴とする。
【０００６】
また、請求項４に記載の発明は、入力キーによって入力された予約情報を送信する赤外線送信手段を具備する携帯電話機と、前記赤外線送信手段によって送信された赤外線を受ける赤外線受信手段を具備し、前記赤外線受信手段を介して受信された予約情報に基づいて楽曲の選択を行うカラオケ装置とを有することを特徴とするカラオケシステムである。
【０００７】
また、請求項５に記載の発明は、通話用マイクロフォンによって入力された音声信号を送信する赤外線送信手段を具備する携帯電話機と、前記赤外線送信手段によって送信された赤外線を受ける赤外線受信手段を具備し、前記赤外線受信手段を介して受信された音声信号を発音するカラオケ装置とを有することを特徴とするカラオケシステムである。
また、請求項６に記載の発明は、歌詞データを外部へ送信する赤外線送信手段を具備するカラオケ装置と、前記赤外線送信手段によって送信された赤外線を受信する赤外線受信手段を具備し、前記赤外線受信手段によって受信された前記歌詞データを表示部に表示する携帯電話機とを有することを特徴とするカラオケシステムである。
【０００８】
【発明の実施の形態】
以下、図面を参照し、この発明の実施の形態について説明する。図１はこの発明の第１の実施の形態によるカラオケシステムの構成を示すブロック図であり、この図に示すカラオケシステムは、カラオケボックスにおいて使用されるシステムである。
【０００９】
図において、符号１はカラオケボックスのユーザが所持している携帯電話機であり、携帯電話回線および電話局２を介して、カラオケボックスのコントロールセンタ３に接続される。このコントロールセンタ３はカラオケボックスの管理室等に設置されており、携帯電話回線の基地局との接続を行う通信部５と、制御用のコンピュータ６と、大容量メモリ７とから構成される。そして、大容量メモリ７には、通信カラオケ配信センタから配信される多数のカラオケ曲の楽音データおよび画像データが記憶される。この場合、楽音データはＭＩＤＩ（Musical Instrument Digital Interface）規格による楽音データである。また、コンピュータ６は、複数のカラオケルームに各々設置されたカラオケ装置１０からの要求に応じて大容量メモリ７からカラオケ曲を選択し、その楽音データをカラオケ装置１０へ転送する。
【００１０】
カラオケ装置１０は、装置各部を制御するコントローラ１１と、コントロールセンタ３から供給される楽音データおよび画像データが記憶されるメモリ１２と、メモリ１２内の画像データが表示されるディスプレイ装置１４と、このディスプレイ装置１４の表示コントロールを行う表示制御装置１３と、曲予約等を行うリモコン１６と、メモリ１２内の楽音データが供給され、その楽音データをアナログ楽音信号に変換するＭＩＤＩ音源１７と、マイクロフォン１８と、マイクロフォン１８の出力を増幅するアンプ１９と、ＭＩＤＩ音源１７の出力とアンプ１９の出力を合成するミキサ２０と、ミキサ２０の出力が供給されるスピーカ２１とから構成されている。
【００１１】
次に、上記実施形態の動作を説明する。まず、ユーザがカラオケ曲を予約する場合、リモコン１６によって曲番号を入力する。リモコン１６によって入力された曲番号はコントローラ１１へ供給される。コントローラ１１は、まず、この曲番号の曲をメモリ１２において検索する。そして、その曲の楽音データおよび画像データがメモリ１２内に記憶されていた場合は、予約順がきた時点でそのデータを順次読み出し、ＭＩＤＩ音源１７および表示制御装置１３へ出力する。これにより、スピーカ２１からカラオケ曲の楽音が発生すると共に、ディスプレイ装置１４に画像表示が行われる。ここで、ユーザがカラオケ曲に合わせ、マイクロフォン１８に向かって歌唱を行うと、カラオケ曲とユーザの歌唱とがミキシングされ、スピーカ２１から発音される。
【００１２】
一方、リモコン１６によって入力された曲番号がメモリ１２内に記憶されていなかった場合は、コントローラ１１がその曲番号をコントロールセンタ３のコンピュータ６へ出力する。コンピュータ６はその曲番号を受け、まず、大容量メモリ７を検索し、その曲番号が検索された場合は、その曲番号の楽音データおよび画像データを読み出し、カラオケ装置１０のコントローラ１１へ出力する。また、大容量メモリ７において検索できなかった場合は、携帯電話回線を介して通信カラオケ配信センタへその曲の配信を依頼する。そして、配信センタから配信されたデータを大容量メモリ７に書き込み、次いで、書き込んだデータを読み出し、カラオケ装置１０のコントローラ１１へ出力する。
コントローラ１１は、コンピュータ６から出力されたデータをメモリ１２に書き込む。次いで、予約順に従ってメモリ１２内の楽音データおよび画像データを順次読み出し、ＭＩＤＩ音源１７および表示制御装置１３へ出力する。
【００１３】
次に、リモコン１６が側にない場合は、ユーザが自分の携帯電話機１を取り出し、コントロールセンタ３の電話番号をキーによって入力し、呼発信を行う。この呼を受けて、コントロールセンタ３は、「ルーム番号および曲番号を入力して下さい。」というメッセージを携帯電話機１へ送信する。このメッセージは携帯電話機１の表示部１ａに表示される。ユーザはこの表示を見て、テンキーによってルーム番号および曲番号を入力する。このルーム番号および曲番号が電話回線を介してコンピュータ６へ送られると、コンピュータ６はその曲番号の楽音データおよび画像データを大容量メモリ７から読み出し、ルーム番号が示すカラオケルームのコントローラ１１へ出力する。コントローラ１１は、供給されたデータをメモリ１２に書き込み、次いで、そのデータを読み出してＭＩＤＩ音源１７および表示制御装置１３へ出力する。
なお、上記実施形態は、電話回線を介して携帯電話機１とコントロールセンタ３とが通信を行うようになっているが、電話回線を介さず直接携帯電話機１とコントロールセンタ３とが無線で通信を行うようにしてもよい。この場合、携帯電話機１は、基地局に対し直接通信するためのチャンネル割当てを依頼し、割当てられたチャンネルを使用して直接通信を行う。このような通信は、携帯電話機１とコントロールセンタ３とが極めて近くにあり（通常、同一ビル内）、同じ基地局の回線範囲内にあるので可能となる。
【００１４】
次に、この発明の第２の実施形態について説明する。図２はこの発明の第２の実施形態によるカラオケシステムの構成を示すブロック図であり、この図に示すカラオケシステムは携帯電話機３１とカラオケ装置５１とから構成されている。携帯電話機３１は、従来の携帯電話機に赤外線通信装置３２を内蔵させたものである。すなわち、図において、符号３３は回路各部を制御する制御部、３４は電話番号入力用のテンキー、各種ファンクションキー等と液晶表示装置から構成される操作／表示部である。
【００１５】
３５はアンテナ３６を有する通信部であり、送信データを搬送波に乗せてアンテナ３６から送信し、また、アンテナ３６を介して着信した着信信号を復調して制御部３３または音声処理部３７へ出力する。音声処理部３７はマイクロフォン３８から出力された音声信号をディジタルデータに変換し、さらに圧縮し送信データとして通信部３５へ出力し、また、通信部３５から出力される音声データをアナログ音声信号に変換し、スピーカ３９へ出力する。４０は着信音発生部であり、制御部３３からの着信音発生指令を受けて着信音信号を発生し、スピーカ４１へ出力する。以上の構成は従来の携帯電話機の構成と同様である。
赤外線通信装置３２は、制御部３３から供給される数字データまたは音声信号によって赤外線信号を変調し、カラオケ装置５１へ送信する。また、カラオケ装置５１から送信される赤外線信号を復調して制御部３３へ出力する。
【００１６】
次に、カラオケ装置５１において、５２はアンテナ５３を介して携帯電話回線の基地局と通信を行う通信部である。５４は赤外線通信装置であり、携帯電話機３１から出力される赤外線信号を復調し、その結果得られた音声信号をミキサ６３へ、また数字データをコントローラ５５へ出力する。また、コントローラ５５から出力される歌詞データによって赤外線信号を変調し、携帯電話機３１へ出力する。コントローラ５５は装置各部を制御するもので、詳細は後述する。メモリ５６，表示制御装置５７、ディスプレイ装置５８、リモコン５９、ＭＩＤＩ音源６０、マイクロフォン６１、アンプ６２、ミキサ６３、スピーカ６４はそれぞれ図１の構成要素１２〜２１と同様に構成されており、したがって説明を省略する。
【００１７】
次に、上述したこの発明の第２の実施形態の動作を説明する。まず、リモコン５９からの予約入力をコントローラ５５が受け、メモリ５６を検索し、メモリ５６内にその曲がない場合は、通信部５２を介して通信カラオケ配信センタへ曲データのダウンロードを依頼する。そして、ダウンロードを受けた曲データをメモリ５６に書き込み、書き込んだ曲データを表示制御装置５７およびＭＩＤＩ音源６０へ出力する。以上の過程は上述した第１の実施形態とほぼ同じである。但し、この第２の実施形態ではコントロールセンタが設けられていない。
【００１８】
上述した過程によるカラオケ楽音の発生および画像表示処理に並行して、コントローラ５５は表示制御装置へ出力する画像データに含まれている歌詞データを赤外線通信装置５４へ出力する。赤外線通信装置５４は、その歌詞データによって赤外線信号を変調し、携帯電話機３１へ向けて送信する。携帯電話機３１の赤外線通信装置３２は、カラオケ装置５１から送信された赤外線信号を復調し、これによって得られた歌詞データを制御部３３へ出力する。制御部３３は、この歌詞データを操作／表示部３４の液晶表示装置へ出力する。これにより、液晶表示装置の表示パネルに、ディスプレイ装置５８に表示される歌詞と同じ歌詞が表示される。
【００１９】
次に、リモコン５９が側にない場合、ユーザは携帯電話機３１の操作／表示部３４のキーによって曲番号を入力し、次いで、赤外線送信を指示するキー操作を行う。このキー操作を受け、制御部３３は、キーによって入力された曲番号を赤外線通信装置３２へ出力する。赤外線通信装置３２はその曲番号によって赤外線信号を変調し、カラオケ装置５１へ向けて送信する。カラオケ装置５１の赤外線通信装置５４は赤外線通信装置３２からの赤外線信号を復調し、これにより得られた曲番号をコントローラ５５へ出力する。コントローラ５５はこの曲番号を受け、以後、リモコン５９から曲番号が入力された場合と同様の処理を行う。
【００２０】
次に、マイクロフォン６１が側にない場合について説明する。この場合、ユーザは、携帯電話機３１の操作／表示部３４においてマイクロフォン３８の音声信号の赤外線送信を指示するキー操作を行う。次いで、マイクロフォン３８に向かって歌唱を行う。上記のキー操作が行われると、制御部３３がこれを検知し、以後、マイクロフォン３８から出力される音声信号を赤外線通信装置３２へ出力する。赤外線通信装置３２は、その音声信号によって赤外線信号を変調し、カラオケ装置５１に向けて送信する。この場合、赤外線通信の伝送レートは音声信号を忠実に伝送するのに必要なレートとなっている。カラオケ装置５１の赤外線通信装置５４は、赤外線通信装置３２からの赤外線信号を復調し、これによって得られた音声信号をミキサ６３へ出力する。ミキサ６３は赤外線通信装置５４からの音声信号と、ＭＩＤＩ音源からの楽音信号と、マイクロフォン６１からの音声信号を混合してスピーカ６４へ出力する。これにより、スピーカ６４から携帯電話機３１のマイクロフォン３８へ入力した音声（歌唱）が、ＭＩＤＩ音源６０の出力に基づく伴奏音、マイクロフォン６１の出力に基づく音声と共に発音される。なお、上記第１、第２の実施形態における携帯電話機に代えて、ポケベル、電子手帳、パソコン等を用いることも可能である。
【００２１】
【発明の効果】
以上説明したように、この発明によれば、携帯電話機をマイクロフォン、リモコンまたはディスプレイ装置の代わりに用いることができ、マイクロフォンやリモコンの数が少なくても不自由を感じることなくカラオケを楽しむことができる効果が得られる。
【図面の簡単な説明】
【図１】  この発明の第１の実施形態の構成を示すブロック図である。
【図２】  この発明の第２の実施形態の構成を示すブロック図である。
【符号の説明】
１…携帯電話機、３…コントロールセンタ、５…通信部、６…コンピュータ、７…大容量メモリ、１０…カラオケ装置、１１…コントローラ、１２…メモリ、３１…携帯電話機、３２…赤外線通信装置、３３…制御部、５１…カラオケ装置、５４…赤外線通信装置、５５…コントローラ。
【図１】
0004306074.tif 000002
【図２】
0004306074.tif 000003